(57)【要約】【課題】  フューエルカット制御に応じてエゼクタを機能させる場合に、より好適にエゼクタを機能させることができる負圧発生装置の制御装置を提供する。【解決手段】  車両が備える内燃機関５０のインテークマニホールド１４から取り出そうとする負圧よりも大きな負圧を発生させるエゼクタ３０と、エゼクタ３０を機能、或いは機能停止させるＶＳＶ１とを有して構成される負圧発生装置１００を制御するためのＥＣＵ４０Ａであって、内燃機関５０で行われるフューエルカット制御に応じて、エゼクタ３０を機能させるようにＶＳＶ１が制御されるときに、ＶＳＶ１がエゼクタ３０を機能させるように制御されることを禁止する特定禁止制御手段を備える。【選択図】  図３
2008230345.tif 000002
【特許請求の範囲】
【請求項１】
車両が備える内燃機関の吸気系の吸気通路から取り出そうとする負圧よりも大きな負圧を発生させるエゼクタと、該エゼクタを機能、或いは機能停止させる状態変更手段とを有して構成される負圧発生装置を制御するための負圧発生装置の制御装置であって、
前記内燃機関で行われるフューエルカット制御に応じて、前記エゼクタを機能させるように前記状態変更手段が制御されるときに、該状態変更手段が前記エゼクタを機能させるように制御されることを禁止する特定禁止制御手段を備えることを特徴とする負圧発生装置の制御装置。
【請求項２】
前記特定禁止制御手段が、前記吸気通路と前記エゼクタとから負圧の供給を受ける負圧作動装置の負圧が十分な大きさに確保されるまでの間、前記状態変更手段が前記エゼクタを機能させるように制御されることを禁止することを特徴とする請求項１記載の負圧発生装置の制御装置。
【請求項３】
前記特定禁止制御手段が、車速が所定値よりも低いときに前記状態変更手段が前記エゼクタを機能させるように制御されることを禁止することを特徴とする請求項１記載の負圧発生装置の制御装置。
【請求項４】
前記特定禁止制御手段が、前記フューエルカット制御に応じて前記状態変更手段が作動した後、所定期間が経過するまでの間、前記状態変更手段が、前記フューエルカット制御に応じて前記エゼクタを機能させるように制御されることを禁止することを特徴とする請求項１記載の負圧発生装置の制御装置。
【請求項５】
さらに前記特定禁止制御手段が、前記状態変更手段の作動時間が所定時間よりも長かった場合に、前記状態変更手段が、前記フューエルカット制御に応じて前記エゼクタを機能させるように制御されることを禁止することを特徴とする請求項４記載の負圧発生装置の制御装置。
【請求項６】
車両が備える内燃機関の吸気系の吸気通路から取り出そうとする負圧よりも大きな負圧を発生させるエゼクタと、該エゼクタを機能、或いは機能停止させる状態変更手段とを有して構成される負圧発生装置を制御するための負圧発生装置の制御装置であって、
前記内燃機関で行われるフューエルカット制御に応じて、前記状態変更手段が前記エゼクタを機能させるように制御された後、前記フューエルカット制御が行われている間に、前記エゼクタを機能停止させるように前記状態変更手段を制御する清掃制御終了手段を備えることを特徴とする負圧発生装置の制御装置。
【発明の詳細な説明】
【技術分野】
【０００１】
本発明は負圧発生装置の制御装置に関し、特にフューエルカット制御に応じてエゼクタを機能させる負圧発生装置の制御装置に関する。
【背景技術】
【０００２】
従来、車両において内燃機関の吸気系の吸気通路（例えばインテークマニホールドやサージタンク）から取り出そうとする負圧よりも、さらに大きな負圧をブレーキブースタなどの負圧作動装置に供給するためにエゼクタが利用されている。このエゼクタに関し、本発明と関連性があると考えられる技術が例えば特許文献１から３までで提案されている。
【０００３】
【特許文献１】特開２００５−２９７６５４号公報
【特許文献２】特開２００５−６９１７５号公報
【特許文献３】特許２００５−１８６７０８号公報
【発明の開示】
【発明が解決しようとする課題】
【０００４】
近年では、地球温暖化や大気汚染などの環境問題に対する関心が益々高まっており、車両においては排気ガス中に含まれる炭化水素ＨＣなどのエミッションの排出量を低減することが重要な課題の一つとなっている。そのためには、内燃機関の排気系に配設されている触媒の温度を素早く反応温度にまで高めることが有効な方策の一つであることから、内燃機関の始動後、触媒が活性化するまでの間、内燃機関の点火時期を遅角させる制御が一般的に行われている。同時にこの際、トルクの低下を補うために、吸気通路を大きく開放するようにスロットル弁も制御して、吸気流量を増大させている（以下、単にこれらの制御を触媒暖機制御と称す）。触媒暖機制御を行うことで、より多くの混合気をより排気行程に近い時期で燃焼させることができるため、より高い温度で排気ガスを触媒に到達させることができ、その結果、素早く触媒の温度を反応温度にまで高めることができる。
【０００５】
ところが、上述のようにスロットル弁で吸気通路を大きく開放すると、内燃機関の吸気系で発生する負圧が小さくなる。この場合、ブレーキブースタは内燃機関の吸気系から負圧を取り出しているため、ブレーキ操作をアシストする機能が不十分になり、その結果、運転者の操作負担が増大してしまう。これに対して、触媒暖機制御が行われているときに、エゼクタを利用すればより大きな負圧をブレーキブースタに供給できる。なお、この場合には吸気通路が比較的大きく開放されていることから、エゼクタを機能させても吸入空気量の変動度合いが相対的に減少する。このためエゼクタを機能させても、アイドリングが大きく不安定になることはない。
【０００６】
一方、内燃機関の水温が所定値以上になり、触媒が活性化した場合には、触媒暖機制御は不要となる。この場合、スロットル弁は燃費向上を目的としてアイドリング時の目標回転数を下げるために相応の開度に絞られる。ところが、この場合にエゼクタを機能させると、空燃比に影響が及んでアイドル回転数を目標回転数へ制御することが困難になるため、結果としてアイドリングが不安定になる虞がある。この対策として最も簡便な対策はエゼクタを機能させないことであるが、エゼクタを機能させない場合、以下に示す問題が生じる。
【０００７】
エゼクタはベンチュリー効果で大きな負圧を発生させる構造故に、エゼクタ内で大きな負圧を発生させる部分にあたる通路は小さく絞られている。そして、長時間に亘ってエゼクタを機能させない場合には、吸気が流通しないために、この通路に詰まりが発生しやすくなる。詰まりの原因は、例えば吸気に含まれる水分が凝縮してこの通路に溜まり、冬場に凍結してしまうことや、油分を含んだ吸気がエゼクタ内に侵入してきてこの通路の壁面に付着し、さらに油分が壁面で塵芥と結合した結果、次第に通路を閉塞するようなデポジットに生成されてしまうことなどである。なお、係る詰まりはエゼクタそのものだけでなく、エゼクタを含む負圧発生装置の流通経路全般で発生する虞がある。
【０００８】
これに対して内燃機関の燃焼サイクルにおいて燃料噴射が行われないときに、エゼクタを機能させるようにすれば、アイドリングに悪影響を及ぼすことなく、上述の詰まりの発生を抑制できる。そしてこのようにエゼクタを機能させるにあたっては、具体的には例えば内燃機関で行われるフューエルカット制御に応じて、エゼクタを機能させることが好適である。ところがこの場合、上述の詰まりの発生は抑制できるものの、さらに負圧作動装置の負圧を十分な大きさに確保するといった観点や、車両のドライバビリティを確保するといった観点などからは、未だ改善の余地が残されていることがわかった。
【０００９】
そこで本発明は上記の課題に鑑みてなされたものであり、フューエルカット制御に応じてエゼクタを機能させる場合に、より好適にエゼクタを機能させることができる負圧発生装置の制御装置を提供することを目的とする。
【課題を解決するための手段】
【００１０】
上記課題を解決するために、本発明は車両が備える内燃機関の吸気系の吸気通路から取り出そうとする負圧よりも大きな負圧を発生させるエゼクタと、該エゼクタを機能、或いは機能停止させる状態変更手段とを有して構成される負圧発生装置を制御するための負圧発生装置の制御装置であって、前記内燃機関で行われるフューエルカット制御に応じて、前記エゼクタを機能させるように前記状態変更手段が制御されるときに、該状態変更手段が前記エゼクタを機能させるように制御されることを禁止する特定禁止制御手段を備えることを特徴とする。
【００１１】
ここで、フューエルカット制御に応じてエゼクタを機能させると、詰まりの発生を抑制できる反面、負圧作動装置への負圧の充填は遅れてしまうことになり、場合によっては車両のドライバビリティが損なわれてしまうこともある。この点、上記特定禁止制御手段を備えた本発明によれば、状態変更手段がエゼクタを機能させるように制御されることを適宜禁止できることから、負圧作動装置の負圧を十分な大きさに確保することや、車両のドライバビリティを確保することなどが可能になり、結果として詰まりの発生を抑制すべく、より好適にエゼクタを機能させることができる。
【００１２】
また本発明は前記特定禁止制御手段が、前記吸気通路と前記エゼクタとから負圧の供給を受ける負圧作動装置の負圧が十分な大きさに確保されるまでの間、前記状態変更手段が前記エゼクタを機能させるように制御されることを禁止してもよい。ここで、エゼクタを機能させた後では、内燃機関の吸入空気量が増大する結果、吸気通路から取り出そうとする負圧が低下してしまうほか、吸気通路から直接負圧を取り出す場合と比較して負圧の供給量が減少する結果、負圧の充填に時間がかかってしまう。これに対して本発明によれば、負圧作動装置の負圧が十分な大きさに確保されるまでの間、吸気通路から直接負圧を取り出すことができる。このため本発明によれば、負圧作動装置への負圧の充填が遅れてしまうことを防止できる。
【００１３】
なお、「負圧作動装置の負圧が十分な大きさに確保されるまでの間」は、具体的には例えば「吸気通路から取り出そうとする負圧、または負圧作動装置の負圧が所定値よりも小さくなるまでの間」で規定できる。ここでこの記載は便宜上、負圧を負の値としているものであるが、例えば負圧を大きさや絶対圧とした場合であっても、負の値に置き換えることで同様の関係が成立すれば、本発明に含まれるものである。また「負圧作動装置の負圧が十分な大きさに確保されるまでの間」は、具体的には例えば、「フューエルカット制御が開始されてから所定時間が経過するまでの間」と規定することもできる。
【００１４】
また本発明は前記特定禁止制御手段が、車速が所定値よりも低いときに前記状態変更手段が前記エゼクタを機能させるように制御されることを禁止してもよい。ここで、フューエルカット制御に応じてエゼクタが機能した後、エゼクタが機能停止したときには、内燃機関の吸入空気量はエゼクタを流通する吸入空気量の分だけ減少する。そしてこの吸入空気量の減少が、例えばフューエルカット制御からの復帰制御（例えば点火時期の遅角制御）が行われているときや、完全に通常制御に復帰した後に起こった場合には、内燃機関のトルクが変動する。そして、さらにこのとき車速が低い場合には、大きなトルクショックや最悪、エンストが発生する虞がある。これに対して本発明によれば、係るトルク変動の発生を防止できることから、特に車速が低いことに起因して大きなトルクショックやエンストが発生することを防止でき、この結果、車両のドライバビリティを確保できる。
【００１５】
また本発明は前記特定禁止制御手段が、前記フューエルカット制御に応じて前記状態変更手段が作動した後、所定期間が経過するまでの間、前記状態変更手段が、前記フューエルカット制御に応じて前記エゼクタを機能させるように制御されることを禁止してもよい。ここで、負圧発生装置の詰まりの発生を抑制するためには、必ずしもフューエルカット制御が行われる度にエゼクタを機能させる必要はないといえる。これに対して本発明によれば、フューエルカット制御に応じて状態変更手段が一度作動（状態変更手段がエゼクタを機能及び機能停止させるように制御されること）した後、所定期間が経過するまでの間はフューエルカット制御が行われてもエゼクタが機能しなくなることから、作動回数の低減によるバッテリ消費量の低減や、状態変更手段の故障低減或いは長寿命化といった観点からも、より好適にエゼクタを機能させることができる。
【００１６】
また本発明は前記特定禁止制御手段が、さらに前記状態変更手段の作動時間が所定時間よりも長かった場合に、前記状態変更手段が、前記フューエルカット制御に応じて前記エゼクタを機能させるように制御されることを禁止してもよい。ここでフューエルカット制御がごく短い時間の間だけ行われた場合には、フューエルカット制御に応じた状態変更手段の作動時間も短いものとなる。この場合には、フューエルカット制御に応じて状態変更手段が作動したとしても、負圧発生装置の詰まりの発生を抑制するにあたって十分な効果が得られないことから、その後所定期間が経過するまでの間、フューエルカット制御に応じてエゼクタを機能させないと詰まりの発生が助長される虞がある。これに対して本発明によれば、さらに状態変更手段の作動時間が所定時間よりも長かった場合に上記制御の禁止が行われることから、詰まりの発生が助長される虞も抑制できる。
【００１７】
また本発明は車両が備える内燃機関の吸気系の吸気通路から取り出そうとする負圧よりも大きな負圧を発生させるエゼクタと、該エゼクタを機能、或いは機能停止させる状態変更手段とを有して構成される負圧発生装置を制御するための負圧発生装置の制御装置であって、前記内燃機関で行われるフューエルカット制御に応じて、前記状態変更手段が前記エゼクタを機能させるように制御された後、前記フューエルカット制御が行われている間に、前記エゼクタを機能停止させるように前記状態変更手段を制御する清掃制御終了手段を備えることを特徴とする。
【００１８】
ここで前述の通り、エゼクタが機能停止したときには内燃機関の吸入空気量はエゼクタを流通する吸入空気量の分だけ減少し、この吸入空気量の減少が、フューエルカット制御からの復帰制御が行われているときや、完全に通常制御に復帰した後に起こった場合にはトルクが変動することになる。これに対して本発明によれば、係るトルク変動の発生を防止できることから、車両のドライバビリティを確保できる。
【発明の効果】
【００１９】
本発明によれば、フューエルカット制御に応じてエゼクタを機能させる場合に、より好適にエゼクタを機能させることができる負圧発生装置の制御装置を提供できる。
【発明を実施するための最良の形態】
【００２０】
以下、本発明を実施するための最良の形態を図面と共に詳細に説明する。
【実施例１】
【００２１】
図１はＥＣＵ（Electronic Control Unit：電子制御装置）４０Ａで実現されている本実施例に係る負圧発生装置の制御装置を、負圧発生装置１００とともに模式的に示す図である。内燃機関５０を始めとした図１に示す各構成は車両（図示省略）に搭載されている。内燃機関５０の吸気系１０は、エアクリーナ１１と、エアフロメータ１２と、電動スロットル１３と、インテークマニホールド１４と、内燃機関５０の各気筒（図示省略）に連通する図示しない吸気ポートと、これらの構成の間に適宜配設される例えば吸気管１５ａ、１５ｂなどを有して構成されている。エアクリーナ１１は内燃機関５０の各気筒に供給される吸気を濾過するための構成であり、図示しないエアダクトを介して大気に連通している。エアフロメータ１２は吸入空気量を計測するための構成であり吸入空気量に応じた信号を出力する。
【００２２】
電動スロットル１３は、スロットル弁１３ａと、スロットルボディ１３ｂと、弁軸１３ｃと、電動モータ１３ｄとを有して構成されている。スロットル弁１３ａは、内燃機関５０に供給する吸入空気量を開度変化により調整するための構成である。スロットルボディ１３ｂは、吸気通路が形成された筒状部材からなる構成であり、この吸気通路に配設されたスロットル弁１３ａの弁軸１３ｃを支持する。電動モータ１３ｄは、ＥＣＵ４０Ａの制御の基、スロットル弁１３ａの開度を変更するための構成であり、この電動モータ１３ｄにはステップモータが採用されている。電動モータ１３ｄはスロットルボディ１３ｂに固定されており、その出力軸（図示省略）は弁軸１３ｃに連結されている。スロットル弁１３ａの開度は、電動スロットル１３に内蔵された図示しないスロットル開度センサからの出力信号に基づき、ＥＣＵ４０Ａで検出される。
【００２３】
なお、スロットル機構には電動スロットル１３のようなスロットル弁１３ａをアクチュエータで駆動するスロットルバイワイヤ方式のほか、例えば電動スロットル１３の代わりにワイヤなどを介してアクセルペダル（図示省略）と連動し、スロットル弁１３ａの開度が変更されるような機械式スロットル機構が適用されてもよい。インテークマニホールド１４は、上流側で一つの吸気通路を下流側で内燃機関５０の各気筒に対応させて分岐するための構成であり、吸気を内燃機関５０の各気筒に分配する。
【００２４】
ブレーキ装置２０はブレーキペダル２１と、ブレーキブースタ（負圧作動装置）２２と、マスターシリンダ２３と、ホイルシリンダ（図示省略）とを有して構成されている。運転者が車輪の回転を制動するために操作するブレーキペダル２１は、ブレーキブースタ２２の入力ロッド（図示省略）と連結されている。ブレーキブースタ２２は、ペダル踏力に対して所定の倍力比でアシスト力を発生させるための構成であり、内部でマスターリシンダ２３側に区画された負圧室（図示省略）が、エゼクタ３０を介してインテークマニホールド１４の吸気通路に接続されている。ブレーキブースタ２２は、さらにその出力ロッド（図示省略）がマスターシリンダ２３の入力軸（図示省略）と連結されており、マスターシリンダ２３は、ペダル踏力に加えてアシスト力を得たブレーキブースタ２２からの作用力に応じて油圧を発生させる。マスターシリンダ２３は、油圧回路を介して各車輪のディスクブレーキ機構（図示省略）に設けられたホイルシリンダ夫々に接続されており、ホイルシリンダはマスターシリンダ２３から供給された油圧で制動力を発生させる。なお、ブレーキブースタ２２は気圧式のものであれば特に限定されるものではなく、一般的なものであってよい。
【００２５】
エゼクタ３０は、吸気系１０、より具体的にはスロットル弁１３ａよりも下流側にあるインテークマニホールド１４から取り出そうとする負圧（以下、単にインマニ負圧と称す）よりもさらに大きな負圧を発生させてブレーキブースタ２２の負圧室に供給するための構成である。エゼクタ３０は、流入ポート３１ａと流出ポート３１ｂと負圧供給ポート３１ｃとを有している。これらのうち、負圧供給ポート３１ｃがエアホース５ｃでブレーキブースタ２２の負圧室に接続されている。また、流入ポート３１ａは吸気管１５ａの吸気通路にエアホース５ａで、流出ポート３１ｂはインテークマニホールド１４の吸気通路にエアホース５ｂで、電動スロットル１３、より具体的にはスロットル弁１３ａを挟むようにして夫々接続されている。これによって、電動スロットル１３を迂回するバイパス路Ｂが、エゼクタ３０を含んでエアホース５ａと５ｂとで形成される。なお、エゼクタ３０が機能していない場合、ブレーキブースタ２２の負圧室には、インテークマニホールド１４の吸気通路から、エアホース５ｂ、エゼクタ３０の流出ポート３１ｂ及び負圧供給ポート３１ｃ、エアホース５ｃ夫々を介して負圧が供給される。また、ブレーキブースタ２２の負圧室に充填された負圧を、以下単にブースタ負圧と称す。
【００２６】
エアホース５ａには、ＶＳＶ（バキュームスイッチングバルブ）１を介在させている。ＶＳＶ１は、ＥＣＵ４０Ａの制御の基、バイパス路Ｂを連通、遮断するための構成であり、本実施例では２ポジション２ポートのノーマルクローズドソレノイドバルブを採用している。但し、これに限られず、ＶＳＶ１は他の適宜の電磁弁などであってよく、さらに例えば流路の遮蔽度合いを制御可能な流量調整弁などであってもよい。また、このＶＳＶ１はバイパス路Ｂを連通、遮断することで、エゼクタ３０を機能、或いは機能停止させるための構成となっている。本実施例では、ＶＳＶ１で状態変更手段を実現している。
【００２７】
図２はエゼクタ３０の内部構成を模式的に示す図である。エゼクタ３０は内部にディフューザ３２を備えている。ディフューザ３２は、先細テーパ部３２ａと、末広テーパ部３２ｂと、これらを連通する通路にあたる負圧取出部３２ｃとで構成されている。先細テーパ部３２ａは、流入ポート３１ａに対向するようにして開口しており、末広テーパ部３２ｂは、流出ポート３１ｂに対向するようにして開口している。また、負圧取出部３２ｃは、負圧供給ポート３１ｃに連通している。流入ポート３１ａには、流入してきた吸気を先細テーパ部３２ａに向けて噴射するノズル３３が配設されており、ノズル３３から噴射された吸気はディフューザ３２を流通し、さらに流出ポート３１ｂからエアホース５ｂに流出する。この際、ディフューザ３２で高速噴流が生起されることにより、ベンチュリー効果で負圧取出部３２ｃに大きな負圧が発生し、さらにこの負圧は負圧供給ポート３１ｃからエアホース５ｃを介して負圧室に供給される。このようなエゼクタ３０の機能により、ブレーキブースタ２２は、インテークマニホールド１４から取り出す場合よりも大きな負圧を得ることができる。
【００２８】
なお、負圧取出部３２ｃと負圧供給ポート３１ｃとの間の内部流路と、流出ポート３１ｂと負圧供給ポート３１ｃとの間の内部流路と、ブレーキブースタ２２のエアホース５ｃ接続部とに設けられた逆止弁３４は、夫々逆流を防止するためのものである。また、エゼクタ３０は図２に示す内部構造を備えるものに限られず、その他の異なる内部構造を備えるエゼクタをエゼクタ３０の代わりに適用してよい。本実施例では負圧発生装置１００はＶＳＶ１とエゼクタ３０とを有して実現されており、この負圧発生装置１００はさらに具体的にはエアホース５ａ、５ｂ及び５ｃと逆止弁３４とを有して構成されている。
【００２９】
ＥＣＵ４０Ａは、図示しないＣＰＵ（Central Processing Unit：中央演算処理装置）と、ＲＯＭ（Read Only Memory）と、ＲＡＭ（Random Access Memory）とを有して構成されるマイクロコンピュータ（以下、単にマイコンと称す）や入出力回路などを有して構成されている。ＥＣＵ４０Ａは主として内燃機関５０を制御するための構成であり、本実施例ではＶＳＶ１や電動スロットル１３なども制御している。ＥＣＵ４０ＡにはＶＳＶ１や電動スロットル１３のほか、各種の制御対象が接続されている。また、ＥＣＵ４０Ａにはスロットル開度センサや、車速を検出するための車速センサ７１や、内燃機関５０の水温を検出するための水温センサ７２や、内燃機関５０の回転数ＮＥを検出するためのクランク角センサ７３などの各種のセンサが接続されている。
【００３０】
ＲＯＭはＣＰＵが実行する種々の処理が記述されたプログラムを格納するための構成であり、本実施例では内燃機関５０制御用のプログラムのほかに、種々の条件のもと、エゼクタ３０を機能、或いは機能停止させるようにＶＳＶ１を制御する（以下、単にＶＳＶ１を開く、或いは閉じるとも称す）ためのＶＳＶ１制御用のプログラムなども格納している。ＶＳＶ１はこのＶＳＶ１制御用プログラムによって、基本的に冷間時（例えば７５℃以下）に開かれるとともに、温間時に閉じられる。なお、フューエルカット（以下、単にＦ／Ｃと称す）制御用のプログラムは内燃機関５０制御用のプログラムの一部として構成されており、このＦ／Ｃ制御用のプログラムは、回転数ＮＥがある程度高い状態でアクセルペダルが開放された場合にＦ／Ｃを行うように作成されている。また、これらのプログラムは一体として組み合わされていてもよい。
【００３１】
ＶＳＶ１制御用プログラムは、内燃機関で行われるＦ／Ｃ制御に応じて、Ｆ／Ｃ制御が開始されたときにＶＳＶ１を開く清掃制御用プログラムを有して構成されている。さらに本実施例ではＶＳＶ１制御用プログラムが、上記の清掃制御用プログラムに基づき、Ｆ／Ｃ制御に応じてＶＳＶ１が開かれるときに、ＶＳＶ１が開かれることを禁止する特定禁止制御用プログラムを有して構成されている。この特定禁止制御用プログラムは、必要なブレーキ性能を確保すべく、ブースタ負圧が十分な大きさに確保されるまでの間、ＶＳＶ１が開かれることを禁止するように作成されており、さらに本実施例では具体的にはインマニ負圧が所定値βよりも小さくなるまでの間、ＶＳＶ１が開かれることを禁止するように作成されている。本実施例ではマイコンと上述の各種のプログラムとで各種の制御手段や検出手段や判定手段などが実現されており、特にマイコンと特定禁止制御用プログラムとで特定禁止制御手段が実現されている。
【００３２】
次にＥＣＵ４０Ａで行われる処理を図３に示すフローチャートを用いて詳述する。ＥＣＵ４０Ａは、ＲＯＭに格納された前述の各種のプログラムに基づき、ＣＰＵがフローチャートに示す処理を極短い時間で繰り返し実行することで、Ｆ／Ｃ制御に応じてＶＳＶ１が開かれることを禁止する。ＣＰＵは水温が所定値α（例えば７５℃）を超えたか否かを判定する処理を実行する（ステップＳ１１）。すなわち、本ステップで温間時であるか否かが判定される。否定判定であれば冷間時であるため、ＣＰＵはＶＳＶ１を開くための処理を実行する（ステップＳ１４）。一方、ステップＳ１１で肯定判定であれば、ＣＰＵはＦ／Ｃ中であるか否かを判定する処理を実行する（ステップＳ１２）。否定判定であれば、特段の処理を要しない温間時であるため、ＣＰＵはＶＳＶ１を閉じるための処理を実行する（ステップＳ１５）。
【００３３】
一方、ステップＳ１２で肯定判定であれば、ＣＰＵはインマニ負圧が所定値βよりも小さいか否かを判定する処理を実行する（ステップＳ１３Ａ）。この所定値βは、実験などによりＦ／Ｃ制御を開始した後、ブースタ負圧が十分な大きさに確保されたときの値を把握することで決定できるが、Ｆ／Ｃ制御が開始されたときのブースタ負圧の大きさや回転数ＮＥの大きさ（換言すればインマニ負圧の大きさ）に関わらず、ブースタ負圧を十分な大きさに確保できる値に設定されることが好ましい。ここで、Ｆ／Ｃ制御が行なわれている間はインマニ負圧が増大する（負の値として小さくなる）が、上記のように所定値βを設定することにより、インマニ負圧が所定値βよりも小さくなったことを以って、この間にブースタ負圧も既に十分な大きさに確保されたと推定できる。
【００３４】
したがってステップＳ１３Ａで肯定判定であれば、ブースタ負圧が既に十分な大きさに確保されたと推定できることから、ＣＰＵはＶＳＶ１を開くための処理を実行する（ステップＳ１４）。一方、ステップＳ１３Ａで否定判定であれば、ＣＰＵはＶＳＶ１を閉じるための処理を実行する（ステップＳ１５）。これにより、インマニ負圧が所定値βよりも小さくなるまでの間は、インマニ負圧がブレーキブースタ２２に充填されることから、ブースタ負圧が不足した状態でエゼクタ３０が機能した結果、ブレーキブースタ２２への負圧の充填が遅れてしまうことを防止できる。
【００３５】
図４はＦ／Ｃ制御を行ったときのインマニ負圧及びブースタ負圧の変化の様子をグラフで示す図である。図４ではこれらの変化を、Ｆ／Ｃ制御開始とともにエゼクタ３０を機能させた場合（図４でエゼクタ有りと称す）と、エゼクタ３０を機能させなかった場合（図４でエゼクタ無しと称す）とについて夫々示しており、さらにＥＣＵ４０Ａでエゼクタ３０を開かなかった場合（図４でエゼクタ有り、ＥＣＵ４０Ａと称す）のインマニ負圧も同時に示している。図４において、Ｆ／Ｃ制御はおよそ時間１．２秒で開始されている。このときエゼクタ３０を機能させなかった場合、インマニ負圧は時間が経過するとともに次第にその大きさが大きくなっていくことがわかる。一方、Ｆ／Ｃ制御開始とともにエゼクタ３０を機能させた場合には、内燃機関５０の吸入空気量がエゼクタ３０を流通する分だけ増大することから、インマニ負圧もその分低下してしまうことがわかる。
【００３６】
またエゼクタ３０による負圧の供給量はインテークマニホールド１４から負圧を直接取り出す場合よりも小さいものとなっている。このため、同一の負圧で見た場合に、エゼクタ３０を機能させた場合にはエゼクタ３０を機能させなかった場合と比較して、ブースタ負圧の充填が遅れてしまうことがわかる。これに対して図４では十分な大きさのブースタ負圧が−５０ｋＰａになっており、さらにこれに対応する所定値βが−７２ｋＰａになっている。このため、ＥＣＵ４０ＡによればＦ／Ｃ制御が開始されてからインマニ負圧が−７２ｋＰａよりも小さくなるまでの間は、エゼクタ３０が開かれないことから、ブースタ負圧を速やかに−５０ｋＰａに確保することができ、この結果、ブースタ負圧の充填に遅れが生じることを防止できる。
【００３７】
なお、図３に示すフローチャートにおいて、例えばステップＳ１３Ａでインマニ負圧の代わりに、ブースタ負圧が所定値よりも小さいか否かを判定し、否定判定であった場合にステップＳ１５に進むようにしてもよい。これは、特定禁止制御用プログラムをブースタ負圧が所定値よりも小さくなるまでの間、ＶＳＶ１が開かれることを禁止するように作成することで実現できる。またブースタ負圧は例えばブレーキブースタ２２に負圧室の負圧を検知できる圧力センサを設けるとともに、この圧力センサの出力を検出することで検出できる。この場合にはブースタ負圧を検知するための圧力センサが必要になる代わりに、ブースタ負圧が十分な大きさになったか否かをより正確に把握できる。
【００３８】
また図３に示すように、ステップＳ１３Ａでインマニ負圧が所定値βよりも小さいか否かを判定する代わりに、Ｆ／Ｃ制御が開始されてから所定時間Ｔ１が経過したか否かを判定し、否定判定であった場合にステップＳ１５に進むようにしてもよい。これは、特定禁止制御用プログラムをＦ／Ｃ制御が開始されてから所定時間Ｔ１が経過するまでの間、ＶＳＶ１が開かれることを禁止するように作成することで実現できる。またこれは、Ｆ／Ｃ制御が開始された後、所定時間が経過すれば、インマニ負圧が増大する結果、ブースタ負圧も十分な大きさに確保される関係にあることに鑑みたものである。したがって所定時間Ｔ１は係る関係のもと、実験などによりＦ／Ｃ制御が開始されるときのブースタ負圧の大きさや回転数ＮＥの大きさに関わらず、ブースタ負圧を十分な大きさに確保できる値を把握することで、決定されることが好ましい。
【００３９】
また、インマニ負圧は例えばインマニ負圧を検知できる圧力センサをインテークマニホールド１４に設けるとともに、この圧力センサの出力を検出することで検出できる。但しこれに限られず、例えば内燃機関５０の運転状態（例えば回転数ＮＥ及び負荷）などに基づき、インマニ負圧を推定することでインマニ負圧を求めてもよい。以上により、フューエルカット制御に応じてエゼクタを機能させる場合に、より好適にエゼクタを機能させることができるＥＣＵ４０Ａを実現できる。
【実施例２】
【００４０】
本実施例に係るＥＣＵ４０Ｂは、ＲＯＭに格納されたＶＳＶ１制御用のプログラムが異なっている点以外、ＥＣＵ４０Ａと同一となっている。なお、ＥＣＵ４０Ｂが適用されている車両の各構成は、ＥＣＵ４０ＡがＥＣＵ４０Ｂに変更される点以外、図１に示した各構成と同一となっている。本実施例ではＶＳＶ１制御用のプログラムが、異なる特定禁止制御用プログラムを有して構成されている点以外、実施例１で前述したＶＳＶ１制御用プログラムと同一のものとなっており、この特定禁止制御用プログラムは、本実施例では具体的には車速が所定値γよりも低いときにＶＳＶ１が開かれることを禁止するように作成されている点以外、実施例１で前述した特定禁止制御用プログラムと同一のものとなっている。本実施例では上記の特定禁止制御用プログラムとマイコンとで特定禁止制御手段が実現されており、ＥＣＵ４０Ｂで負圧発生装置の制御装置が実現されている。
【００４１】
次にＥＣＵ１Ｂで行われる処理を図５に示すフローチャートを用いて詳述する。なお、図５に示すフローチャートはステップＳ１３ＡがステップＳ１３Ｂに変更されている点以外、実施例１で前述した図３に示すフローチャートと同一のものとなっている。このため本実施例では特にステップＳ１３Ｂについて詳述する。ステップＳ１２の肯定判定に続いて、ＣＰＵは車速が所定値γ（例えば２０乃至３０ｋｍ／ｈ）以上か否かを判定する処理を実行する（ステップＳ１３Ｂ）。肯定判定であれば、ＣＰＵはＶＳＶ１を開くための処理を実行する（ステップＳ１４）。一方、ステップＳ１３Ｂで否定判定であれば、車速が所定値γよりも低いと判断され、ＣＰＵはＶＳＶ１を閉じるための処理を実行する（ステップＳ１５）。これにより、内燃機関５０の吸入空気量がエゼクタ３０を流通する分だけ減少する結果、低車速時に大きなトルクショックやエンストが発生することを防止できる。以上により、フューエルカット制御に応じてエゼクタを機能させる場合に、より好適にエゼクタを機能させることができるＥＣＵ４０Ｂを実現できる。
【実施例３】
【００４２】
本実施例に係るＥＣＵ４０Ｃは、ＲＯＭに格納されたＶＳＶ１制御用のプログラムが異なっている点以外、ＥＣＵ４０Ａと同一となっている。なお、ＥＣＵ４０Ｃが適用されている車両の各構成は、ＥＣＵ４０ＡがＥＣＵ４０Ｃに変更される点以外、図１に示した各構成と同一となっている。本実施例ではＶＳＶ１制御用のプログラムが、異なる特定禁止制御用プログラムを有して構成されている点以外、実施例１で前述したＶＳＶ１制御用プログラムと同一のものとなっており、この特定禁止制御用プログラムは、本実施例では具体的にはＦ／Ｃ制御に応じてＶＳＶ１が作動した後、すなわち清掃制御が一度行われた後、所定期間Ｔ２が経過するまでの間、Ｆ／Ｃ制御に応じてＶＳＶ１が開かれることを禁止するように作成されている点以外、実施例１で前述した特定禁止制御用プログラムと同一のものとなっている。本実施例では上記の特定禁止制御用プログラムとマイコンとで特定禁止制御手段が実現されており、ＥＣＵ４０Ｃで負圧発生装置の制御装置が実現されている。
【００４３】
次にＥＣＵ１Ｃで行われる処理を図６に示すフローチャートを用いて詳述する。なお、図６に示すフローチャートはステップＳ１３ＡがステップＳ１３Ｃに変更されている点以外、実施例１で前述した図３に示すフローチャートと同一のものとなっている。このため本実施例では特にステップＳ１３Ｃについて詳述する。ステップＳ１２の肯定判定に続いて、ＣＰＵは清掃制御が一度行われた後、所定期間Ｔ２（例えば１０乃至３０分）が経過したか否かを判定する処理を実行する（ステップＳ１３Ｃ）。この所定期間Ｔ２は、清掃制御の効果を得ることができる範囲内で適宜の値に設定できる。ステップＳ１３Ｃで肯定判定であれば、ＣＰＵはＶＳＶ１を開くための処理を実行する（ステップＳ１４）。一方、ステップＳ１３Ｃで否定判定であれば、所定期間Ｔ２が経過していないと判断され、ＣＰＵはＶＳＶ１を閉じるための処理を実行する（ステップＳ１５）。これにより、ＶＳＶ１の作動回数を低減できることから、バッテリ消費量の低減や、ＶＳＶ１の故障低減或いは長寿命化を図ることができる。
【００４４】
なお、ステップＳ１２の肯定判定に続いて、さらに清掃制御が行われたときのＶＳＶ１の作動時間が所定時間Ｔ３よりも長かったか否かを判定するとともに、否定判定であった場合にはステップＳ１４に進み、肯定判定であった場合にはステップＳ１３Ｃに進むようにしてもよい。これにより、ＶＳＶ１の作動時間が短かった結果、負圧発生装置１００の詰まりの発生を抑制するにあたって十分な効果が得られていない場合にも、その後所定期間Ｔ２が経過するまでの間、Ｆ／Ｃ制御に応じてエゼクタ３０を機能させないことで、詰まりの発生が助長されることを防止できる。これは、特定禁止制御用プログラムをさらにＶＳＶ１の作動時間が所定時間Ｔ３よりも長かった場合に、Ｆ／Ｃ制御に応じてＶＳＶ１が開かれるように制御されることを禁止するように作成することで実現できる。またこの所定時間Ｔ３は負圧発生装置１００に詰まりが発生することを抑制可能な適宜の長さに設定できる。以上により、フューエルカット制御に応じてエゼクタを機能させる場合に、より好適にエゼクタを機能させることができるＥＣＵ４０Ｃを実現できる。
【実施例４】
【００４５】
本実施例に係るＥＣＵ４０Ｄは、ＲＯＭに格納されたＶＳＶ１制御用のプログラムが異なっている点以外、ＥＣＵ４０Ａと同一となっている。なお、ＥＣＵ４０Ｄが適用されている車両の各構成は、ＥＣＵ４０ＡがＥＣＵ４０Ｄに変更される点以外、図１に示した各構成と同一となっている。本実施例ではＶＳＶ１制御用のプログラムが、特定禁止制御用プログラムを有して構成されていない点と、Ｆ／Ｃ制御に応じてＶＳＶ１が開かれた後、Ｆ／Ｃ制御が行われている間に（換言すればＦ／Ｃ制御からの復帰制御が行われるときまでの間に）、ＶＳＶ１を閉じるための清掃制御終了用プログラムを有して構成されている点以外、実施例１で前述したＶＳＶ１制御用プログラムと同一のものとなっている。
【００４６】
この清掃制御終了用プログラムは、本実施例では具体的には回転数ＮＥが所定回転数Ｎよりも小さくなったときに、ＶＳＶ１を閉じるように作成されている。なお、本実施例に係るＶＳＶ１制御用プログラムは、さらにＦ／Ｃ制御に応じてＶＳＶ１が開かれるときに、ＶＳＶ１が開かれることを禁止するための特定禁止制御用プログラム（例えば実施例１から３までで前述した特定禁止制御用プログラム）を有して構成されていてもよい。本実施例では清掃制御終了用プログラムとマイコンとで清掃制御終了手段が実現されており、ＥＣＵ４０Ｄで負圧発生装置の制御装置が実現されている。
【００４７】
次にＥＣＵ１Ｄで行われる処理を図７に示すフローチャートを用いて詳述する。なお、図７に示すフローチャートはステップＳ１３ＡがステップＳ１３Ｄに変更されている点以外、実施例１で前述した図３に示すフローチャートと同一のものとなっている。このため本実施例では特にステップＳ１３Ｄについて詳述する。ステップＳ１２の肯定判定に続いて、ＣＰＵは回転数ＮＥが所定回転数Ｎよりも大きいか否かを判定する処理を実行する（ステップＳ１３Ｄ）。この所定回転数Ｎは、Ｆ／Ｃ制御からの復帰制御が行われる回転数（Ｆ／Ｃ復帰回転数）よりも所定値ａだけ大きな値に設定されている。これにより、Ｆ／Ｃ制御が行われている間にＶＳＶ１を閉じて清掃制御を終了することが可能になる。
【００４８】
ステップＳ１３Ｄで肯定判定であれば、ＣＰＵはＶＳＶ１を開くための処理を実行する（ステップＳ１４）。一方、ステップＳ１３Ｄで否定判定であれば、回転数ＮＥが所定回転数Ｎよりも小さくなったと判断され、ＣＰＵはＶＳＶ１を閉じるための処理を実行する（ステップＳ１５）。これにより、例えばＦ／Ｃ制御からの復帰制御が行われているときに、内燃機関５０の吸入空気量がエゼクタ３０を流通する吸入空気量の分だけ減少することで、トルクが変動することを防止できる。したがって、これにより車両のドライバビリティを確保できる。
【００４９】
なお、図７に示すように、ステップＳ１３Ｄで回転数ＮＥが所定回転数Ｎよりも大きいか否かを判定する代わりに、Ｆ／Ｃ制御が行われてから所定時間Ｔ４が経過していないか否かを判定し、否定判定であった場合にステップＳ１５に進むようにしてもよい。これは、清掃制御終了用プログラムをＦ／Ｃ制御が開始されてから所定時間Ｔ４が経過したときに、ＶＳＶ１を閉じるように作成することで実現できる。またこれは、Ｆ／Ｃ制御が開始された後、所定時間が経過すれば、回転数ＮＥが所定回転数Ｎまで低下する関係にあることに鑑みたものである。したがって、所定時間Ｔ４は係る関係のもと、例えば回転数ＮＥがＦ／Ｃ制御が開始される回転数のうち、最も小さい回転数であった場合でも、Ｆ／Ｃ制御が開始された後、回転数ＮＥが所定回転数Ｎよりも低くならない値に設定されることが好ましい。以上により、フューエルカット制御に応じてエゼクタを機能させる場合に、より好適にエゼクタを機能させることができるＥＣＵ４０Ｄを実現できる。
【００５０】
上述した実施例は本発明の好適な実施の例である。但し、これに限定されるものではなく、本発明の要旨を逸脱しない範囲内において種々変形実施可能である。
【図面の簡単な説明】
【００５１】
【図１】ＥＣＵ４０Ａを負圧発生装置１００と共に模式的に示す図である。
【図２】エゼクタ３０の内部構成を模式的に示す図である。
【図３】ＥＣＵ４０Ａで行われる処理をフローチャートで示す図である。
【図４】Ｆ／Ｃ制御を行ったときのインマニ負圧及びブースタ負圧の変化の様子をグラフで示す図である。
【図５】ＥＣＵ４０Ｂで行われる処理をフローチャートで示す図である。
【図６】ＥＣＵ４０Ｃで行われる処理をフローチャートで示す図である。
【図７】ＥＣＵ４０Ｄで行われる処理をフローチャートで示す図である。
【符号の説明】
【００５２】
１  ＶＳＶ
１０  吸気系
１３  電動スロットル
１４  エキゾーストマニホールド
２０  ブレーキ装置
２２  ブレーキブースタ
３０  エゼクタ
４０  ＥＣＵ
５０  内燃機関
７１  車速センサ
７２  水温センサ
７３  クランク角センサ
１００  負圧発生装置
【図１】
2008230345.tif 000003
【図２】
2008230345.tif 000004
【図３】
2008230345.tif 000005
【図４】
2008230345.tif 000006
【図５】
2008230345.tif 000007
【図６】
2008230345.tif 000008
【図７】
2008230345.tif 000009